(57)【要約】      （修正有）【課題】天板等の温度が高温である時に、幼児又は愛玩動物の接近を回避させることが可能な誘導加熱調理器を提供する。【解決手段】誘導加熱調理器は、被加熱物が載置される天板２と、天板を載置する本体部と、天板に載置された被加熱物を天板を介して加熱する加熱コイル１４と、本体部の正面に配置される第１スピーカ２０aと、天板の下方に配置される第２スピーカ２０b,２０ｃと、第１スピーカ及び第２スピーカの音響出力を制御する制御装置３０とを備え、制御装置は、第１スピーカ及び第２スピーカからモスキート音を出力させる。【選択図】図２
2017157289.tif 000002
【特許請求の範囲】
【請求項１】
被加熱物が載置される天板と、
前記天板を載置する本体部と、
前記天板に載置された前記被加熱物を前記天板を介して加熱する加熱コイルと、
前記本体部の正面に配置される第１スピーカと、
前記天板の下方に配置される第２スピーカと、
前記第１スピーカ及び前記第２スピーカの音響出力を制御する制御装置と
を備え、
前記制御装置は、
前記第１スピーカ及び前記第２スピーカからモスキート音を出力させる
誘導加熱調理器。
【請求項２】
前記第１スピーカから出力される前記モスキート音の周波数は、前記第２スピーカから出力される前記モスキート音の周波数と異なる
請求項１に記載の誘導加熱調理器。
【請求項３】
前記第２スピーカから出力される前記モスキート音の周波数は、前記第１スピーカから出力される前記モスキート音の周波数より高い
請求項１に記載の誘導加熱調理器。
【請求項４】
前記モスキート音は、前記第１スピーカからは１６５００Ｈｚ以上かつ１７５００Ｈｚ以下の周波数で出力され、前記第２スピーカからは１８０００Ｈｚ以上かつ２００００Ｈｚ以下の周波数で出力される
請求項１〜３のいずれか一項に記載の誘導加熱調理器。
【請求項５】
前記本体部の正面に配置され、生体の接近を検知する第１生体検知センサと
前記天板の下方に配置され、生体の接近を検知する第２生体検知センサと、
を更に備え、
前記制御装置は、
前記第１生体検知センサで生体の接近を検知した場合に、前記第１スピーカから前記モスキート音を出力させ、
前記第２生体検知センサで生体の接近を検知した場合に、前記第２スピーカから前記モスキート音を出力させる
請求項１〜４のいずれか一項に記載の誘導加熱調理器。
【発明の詳細な説明】
【技術分野】
【０００１】
本発明は、天板等の温度が高温である時に警告を報知可能な誘導加熱調理器に関する。
【背景技術】
【０００２】
従来の天板等の温度が高温である時に警告を報知可能な加熱調理器としては、例えば、特許文献１では、音又は光による警告を報知する加熱調理器が開示されている。
【先行技術文献】
【特許文献】
【０００３】
【特許文献１】特開平１１−１０１４４３号公報
【発明の概要】
【発明が解決しようとする課題】
【０００４】
しかしながら、特許文献１の加熱調理器では、音又は光の意味が理解できない犬若しくは猫等の愛玩動物、又は音若しくは光の刺激に慣れた幼児若しくは愛玩動物が加熱調理器に接近する可能性がある。したがって、特許文献１の加熱調理器では、音又は光による警告が幼児若しくは愛玩動物に対して十分に機能しない可能性があるという課題があった。
【０００５】
本発明は、上述のような課題を解決するものであり、天板等の温度が高温である時に、幼児又は愛玩動物の接近を回避させることが可能な誘導加熱調理器を提供することを目的とする。
【課題を解決するための手段】
【０００６】
本発明に係る誘導加熱調理器は、被加熱物が載置される天板と、前記天板を載置する本体部と、前記天板に載置された前記被加熱物を前記天板を介して加熱する加熱コイルと、前記本体部の正面に配置される第１スピーカと、前記天板の下方に配置される第２スピーカと、前記第１スピーカ及び前記第２スピーカの音響出力を制御する制御装置とを備え、前記制御装置は、前記第１スピーカ及び前記第２スピーカからモスキート音を出力させる。
【発明の効果】
【０００７】
本発明によれば、第１スピーカ及び第２スピーカからモスキート音を出力することにより、幼児又は愛玩動物の誘導加熱調理器への接近を回避させることができる。したがって、本発明によれば、天板等の温度が高温である時に、幼児又は愛玩動物の接近を回避させることが可能な誘導加熱調理器を提供することができる。
【図面の簡単な説明】
【０００８】
【図１】本発明の実施の形態１に係る誘導加熱調理器１の外観構造の一例を示す概略的な斜視図である。
【図２】本発明の実施の形態１に係る誘導加熱調理器１の内部構造の一部の一例を示す概略図である。
【図３】本発明の実施の形態１に係る誘導加熱調理器１の制御装置３０における制御処理の一例を概略的に示すフローチャートである。
【発明を実施するための形態】
【０００９】
実施の形態１．
本発明の実施の形態１に係る誘導加熱調理器１について説明する。図１は、本実施の形態１に係る誘導加熱調理器１の外観構造の一例を示す概略的な斜視図である。図１では、本実施の形態１に係る誘導加熱調理器１の一例として、システムキッチンで用いられるビルトイン型の誘導加熱調理器１が図示されている。
【００１０】
なお、図１を含む以下の図面では各構成部材の寸法の関係及び形状が、実際のものとは異なる場合がある。また、以下の図面では、同一又は類似する部材又は部分には、同一の符号を付すか、あるいは符号を付すことを省略している。また、誘導加熱調理器１の各々の構成部材同士の前後、左右、若しくは上下の位置関係、又は誘導加熱調理器１の正面、背面、上面、若しくは下面等の位置関係は、原則として、誘導加熱調理器１を使用可能な状態に設置したときの位置関係とする。
【００１１】
図１に示すように、誘導加熱調理器１は、被調理物を調理するための鍋又はフライパン等の被加熱物を載置する天板２と、上面が開口された箱状の本体部３とを有している。
【００１２】
天板２は、本体部３の上面に配置されており、例えば、耐熱性のガラス板と金属の枠体とにより構成されている。天板２の上面には、複数の円形の加熱口４が設けられている。加熱口４には、鍋又はフライパン等の被加熱物が載置される目安となる加熱領域が印刷等により示されている。
【００１３】
図１には図示されないが、天板２の複数の円形の加熱口４の下方、かつ本体部３の内部には、天板２の上面に載置された被加熱物を天板２を介して加熱する複数の加熱コイル１４が配置されている。加熱コイル１４は、誘導加熱コイルとして構成されている。なお、図１の中央後方に位置する加熱口４の位置に配置する加熱コイル１４は、商用周波数の交流電力が供給されることによる赤外線の輻射熱で被加熱物を加熱するラジエントヒータとして構成してもよい。加熱コイル１４の配置位置は、図２を参照されたい。
【００１４】
誘導加熱コイルは、電磁誘導の原理を利用して、被加熱物を加熱させる電気回路素子である。誘導加熱調理器１において、誘導加熱コイルに高周波交流電流、例えば２０〜９０ｋＨｚの交流電流を流すと、誘導加熱コイルの周りに磁力線が発生し、誘導加熱コイルの内部に一様な磁界が発生する。磁界が誘導加熱コイルを貫通すると、誘導加熱コイルの内部では磁束変化を妨げる磁界が発生し、被加熱物に渦電流が流れ、交流電流を連続的に流すことにより、被加熱物には渦電流が流れ続けることとなる。被加熱物に渦電流が流れると、被加熱物の電気抵抗と、被加熱物を流れる渦電流とにより、被加熱物にジュール熱が発生する。誘導加熱調理器１の誘導加熱コイルでは、以上の電磁誘導の原理を利用することにより、被加熱物を加熱させることができる。
【００１５】
天板２の正面側の上面には、例えば、加熱口４における加熱の開始又は停止の操作、加熱口４における加熱メニューの選択等の加熱条件を入力する複数の操作部６を有する上面操作パネル５が設けられている。操作部６は、例えば静電容量式のタッチセンサとして構成される。また、天板２の上面には、複数のメニュー表示部７が、上面視において上面操作パネル５の上方に設けられている。メニュー表示部７は、加熱調理に関する設定情報、調理モードの選択表示、自動調理の進行状況、及び警告情報の表示等の誘導加熱調理器１に関する任意の情報を表示可能な液晶画面として構成できる。またメニュー表示部７の一部は、例えば、加熱調理の時間を計時して表示する７セグメントディスプレイとして構成してもよい。
【００１６】
天板２の背面側の上面には、排気口８が設けられている。排気口８は、本体部３の内部と連通するように配置される。本体部３の内部に取り込まれた空気は、排気口８から排気される。なお、図示しないが、排気口８の上部には、埃等の異物が本体部３の内部へ侵入するのを防止する通気性を有するカバーを設けてもよい。
【００１７】
本体部３の正面右側の表面には、上下に２つの操作領域を有する前面操作パネル９が設けられている。上側の前面操作パネル９の右上には、誘導加熱調理器１への電源供給の開始動作及び停止動作の切替えを行う電源スイッチ１０が配置されている。電源スイッチ１０は、例えば、静電容量式のタッチセンサ、ボタン式のスイッチ等として構成できる。上側の前面操作パネル９には、加熱口４における加熱強度を調整する複数の火力操作ダイヤル１１が配置されている。また、下側の前面操作パネル９には、加熱口４における加熱時間を設定する計時時間設定ダイヤル１２が配置されている。火力操作ダイヤル１１及び計時時間設定ダイヤル１２は、例えば、押下することによって前面操作パネル９から突出する、再度押下することによって前面操作パネル９に収容され、回転により加熱強度又は加熱時間を調整可能なつまみとして構成される。また、本体部３の前面左側の内部には、魚等の被調理物の調理を行うためのグリル装置１３が収容されている。
【００１８】
誘導加熱調理器１の正面には、第１生体検知センサ１５ａ及び第１スピーカ２０ａが配置されている。誘導加熱調理器１の天板２の下方には、第２生体検知センサ１５ｂ、１５ｃ及び第２スピーカ２０ｂ、２０ｃが配置されている。
【００１９】
第１生体検知センサ１５ａ及び第２生体検知センサ１５ｂ、１５ｃは、幼児又は愛玩動物等の生体の移動に伴う赤外線量の変化を検知することにより、幼児又は愛玩動物等の生体の接近を検知するものであり、例えば赤外線センサが用いられる。なお、第１生体検知センサ１５ａ及び第２生体検知センサ１５ｂ、１５ｃとしては、人感センサで用いられる超音波センサ、可視光センサ等を用いてもよい。
【００２０】
第１スピーカ２０ａ及び第２スピーカ２０ｂ、２０ｃは、電気信号を物理振動に変えて、音響を出力させる機械であり、高周波数のモスキート音を出力できるように構成される。第１スピーカ２０ａ及び第２スピーカ２０ｂ、２０ｃから出力されるモスキート音は、人間の場合は成人年齢を超えると加齢に伴い聞き取ることが困難になる高周波音である。モスキート音は、聞くと不快感を覚える高周波音として知られている。誘導加熱調理器１では、幼児の誘導加熱調理器１への接近を回避させるモスキート音は、１７０００Ｈｚ前後、例えば、１６５００Ｈｚ以上かつ１７５００Ｈｚ以下程度のモスキート音が用いられる。また、愛玩動物の誘導加熱調理器１への接近を回避させるモスキート音は、１８０００Ｈｚ以上かつ２００００Ｈｚ以下程度のモスキート音が用いられる。
【００２１】
第１生体検知センサ１５ａ及び第１スピーカ２０ａは、誘導加熱調理器１の正面においては、例えば、下側の前面操作パネル９に配置される。幼児は誘導加熱調理器１の正面側から誘導加熱調理器１に接近することが多い。したがって、第１生体検知センサ１５ａ及び第１スピーカ２０ａを誘導加熱調理器１の正面側に配置し、幼児の接近に伴いモスキート音、例えば１６５００Ｈｚ以上かつ１７５００Ｈｚ以下のモスキート音を出力させることにより、幼児の誘導加熱調理器１への接近を回避することができる。また、第２生体検知センサ１５ｂ及び第２スピーカ２０ｂは、例えば、天板２の右端下方に配置され、第２生体検知センサ１５ｃ及び第２スピーカ２０ｃは、例えば、天板２の左端下方に配置される。犬又は猫等の愛玩動物は、誘導加熱調理器１の上面側から誘導加熱調理器１に接近することが多い。したがって、第２生体検知センサ１５ｂ、１５ｃ及び第２スピーカ２０ｂ、２０ｃを天板２の左右の両端下方にそれぞれ配置し、愛玩動物の接近に伴いモスキート音、例えば、１８０００Ｈｚ以上かつ２００００Ｈｚ以下のモスキート音を出力させることにより、愛玩動物の接近を回避することができる。
【００２２】
また、誘導加熱調理器１には、モスキート音の出力開始及び出力停止、並びにモスキート音の出力位置等を切り替え可能な音響操作スイッチ２５が設けられている。音響操作スイッチ２５は、例えば上面操作パネル５に設けられ、スライド式の選択スイッチ、回転式の選択スイッチ、静電容量式のタッチセンサ、ボタン式のスイッチ等として構成できる。モスキート音の開始及び停止、並びにモスキート音の出力位置等を切り替え可能な音響操作スイッチ２５を設けることにより、使用者のニーズに合わせてモスキート音を出力させることができる。また、モスキート音が聞こえる使用者に対し、不必要な不快感を与えることを回避することができる。
【００２３】
また、音響操作スイッチ２５は、モスキート音の出力モードを選択できるように構成できる。例えば、音響操作スイッチ２５は、モスキート音が連続して出力する連続モード、モスキート音が一定の間隔を開けて断続的に出力する断続モード、モスキート音がランダムな間隔で断続的に出力するランダムモードを選択できるように構成できる。音響操作スイッチ２５をモスキート音の出力モードを選択できるように構成することにより、幼児又は愛玩動物が、モスキート音に慣れることを回避することができる。なお、モスキート音の出力モードは、後述する制御装置３０において、自動的にランダムに選択されるように構成してもよい。
【００２４】
なお、図１に示した誘導加熱調理器１の外観構造は一例であり、図１で示したものに限定されない。すなわち、誘導加熱調理器１の天板２における、加熱口４、上面操作パネル５、操作部６、メニュー表示部７、及び排気口８の配置位置又は配置個数は、図示したものに限定されない。同様に、誘導加熱調理器１の本体部３における、電源スイッチ１０、火力操作ダイヤル１１、計時時間設定ダイヤル１２、及びグリル装置１３の配置位置又は配置個数は、図示したものに限定されない。また、音響操作スイッチ２５で選択した設定については、メニュー表示部７に表示して使用者が随時確認できるように構成できる。
【００２５】
次に、本実施の形態１に係る誘導加熱調理器１に設けられた制御装置３０について、図２を用いて説明する。
【００２６】
図２は、本実施の形態１に係る誘導加熱調理器１の内部構造の一部の一例を示す概略図である。制御装置３０は、誘導加熱調理器１の駆動又は停止等を含む誘導加熱調理器１の全体の動作を制御するものであり、例えば、前面操作パネル９の後方に位置する本体部３の内部空間に配置される。制御装置３０は、専用のハードウェア、又は中央演算装置、メモリ等を備えたマイクロコンピュータ又はマイクロプロセッシングユニットとして構成される。なお、図２を含む以下の図面においては、制御装置３０の内部構造については図示していない。
【００２７】
制御装置３０が専用のハードウェアとして構成される場合、制御装置３０は、例えば、単一回路、複合回路、ＡＳＩＣ、ＦＰＧＡ、又はこれらを組み合わせて構成できる。制御装置３０は、各々の制御処理を個々のハードウェアで実現できるように構成してもよいし、各々の制御処理を一つのハードウェアで行うように構成してもよい。なお、「ＡＳＩＣ」は特定用途向け集積回路の略称であり、「ＦＰＧＡ」はフィールドプログラマブルゲートアレイの略称である。
【００２８】
制御装置３０がマイクロコンピュータ又はマイクロプロセッシングユニットとして構成される場合、制御装置３０が実行する制御処理は、ソフトウェア、ファームウェア、又はソフトウェアとファームウェアとの組み合わせにより実現される。ソフトウェア又はファームウェアは、制御プログラムとして記述される。メモリは、制御プログラム、加熱調理に関する設定情報等を格納する制御装置３０の記憶部として構成できる。メモリは、例えば、ＲＡＭ、ＲＯＭ、フラッシュメモリ、ＥＰＲＯＭ、ＥＥＰＲＯＭ等の不揮発性又は揮発性の半導体メモリとして構成できる。中央演算装置は、メモリに格納された制御プログラムを読み出して実行することにより、制御処理を実現する演算部として構成される。なお、中央演算装置は「ＣＰＵ」と略称される。また、中央演算装置は、処理装置、演算装置、マイクロプロセッサ、又はプロセッサとも称される。
【００２９】
また、制御装置３０は、制御処理の一部を専用のハードウェアで実現し、残余の制御処理をマイクロコンピュータ又はマイクロプロセッシングユニットで実現するように構成してもよい。また、制御装置３０は、加熱コイル１４に電力を供給するインバータ回路を有する駆動装置と一体の装置として構成してもよいし、別体の装置として構成してもよい。
【００３０】
また、制御装置３０は、第１生体検知センサ１５ａ及び第２生体検知センサ１５ｂ、１５ｃで検知した幼児又は愛玩動物の接近情報、音響操作スイッチ２５における操作情報、及び温度検知装置３５で検知した温度情報を有線通信又は無線通信により受信する通信部を備えている。制御装置３０が赤外線通信等の無線通信を行う場合は、通信部は無線通信ポートを有する構成にでき、有線通信を行う場合は通信ケーブルを装着するコネクタポートを有する構成にできる。
【００３１】
温度検知装置３５は、温度センサ及び赤外線温度センサを有し、温度センサ及び赤外線温度センサからの検知信号を処理する温度検知回路である。温度センサは、複数の加熱コイル１４の間の位置に、天板２の下面に密着するように１個以上配置された接触式のセンサであり、例えばサーミスタ等の半導体素子として構成される。温度センサは、例えば、天板２の温度が８０度未満である低温時の天板２に載置された鍋等の被加熱物４０の内部の油等の被調理物４５の温度情報を天板２の下面の温度により検知するものである。赤外線温度センサは、例えば、天板２の温度が８０度以上である高温時の被調理物４５の温度情報を、被加熱物４０の底面から放射される赤外線量により検知するものである。赤外線温度センサは、天板２の下面に密着させずに配置される非接触式センサとして構成される。温度検知装置３５で算出された被調理物４５の温度信号は、制御装置３０に送信される。
【００３２】
制御装置３０は、温度検知装置３５から送信された温度信号が、例えば、火傷等の恐れがある４８℃以上の高温の場合にのみ、モスキート音を出力するように構成することができる。上述の構成によれば、例えば、火傷等の恐れがない４８℃未満の低温の場合には、モスキート音を出力させないように構成できるため、モスキート音が聞こえる使用者に対し、不必要な不快感を与えることを回避することができる。
【００３３】
制御装置３０は、第１生体検知センサ１５ａ又は第２生体検知センサ１５ｂ、１５ｃで検知した幼児又は愛玩動物等の生体の接近情報、音響操作スイッチ２５における操作情報、及び温度検知装置３５で検知した温度情報に基づき、モスキート音出力装置５０にモスキート音の出力命令信号を送信する。モスキート音出力装置５０は、制御装置３０から送信されたモスキート音の出力命令信号を受信し、モスキート音の出力命令信号に基づき、第１スピーカ２０ａ及び第２スピーカ２０ｂに所定の周波数のモスキート音を出力させるための電気信号を送信する。モスキート音出力装置５０からの電気信号を受信した第１スピーカ２０ａ又は第２スピーカ２０ｂ、２０ｃは、所定の周波数のモスキート音を出力する。
【００３４】
次に、本実施の形態１に係る誘導加熱調理器１の制御装置３０における制御処理について説明する。図３は、本実施の形態１に係る誘導加熱調理器１の制御装置３０における制御処理の一例を概略的に示すフローチャートである。
【００３５】
ステップＳ１において、制御装置３０が第１生体検知センサ１５ａ又は第２生体検知センサ１５ｂ、１５ｃから送信された幼児又は愛玩動物等の生体の接近情報を受信すると、ステップＳ２において、制御装置３０は、モスキート音出力装置５０にモスキート音の出力命令信号を送信する。
【００３６】
具体的には、制御装置３０が、第１生体検知センサ１５ａから生体が接近したとの情報を受信した場合は、制御装置３０は、モスキート音出力装置５０に、第１スピーカ２０ａにモスキート音を出力させるための命令信号を送信する。また、制御装置３０が、第２生体検知センサ１５ｂ、１５ｃから生体が接近したとの情報を受信した場合は、制御装置３０は、モスキート音出力装置５０に、第２スピーカ２０ｂ、２０ｃにモスキート音を出力させるための命令信号を送信する。
【００３７】
制御装置３０では、音響操作スイッチ２５が、モスキート音の出力開始可能な状態、かつ温度検知装置３５から送信された温度信号が高温、例えば、４８℃以上の状態において、上述の制御処理が、例えば３０秒に１回といった間隔で反復して行われる。
【００３８】
以上に説明したように、誘導加熱調理器１は、被加熱物４０が載置される天板２と、天板２を載置する本体部３と、天板２に載置された被加熱物４０を天板２を介して加熱する加熱コイル１４と、天板２の下方に配置される第１スピーカ２０ａと、本体部３の正面に配置される第２スピーカ２０ｂ、２０ｃと、第１スピーカ２０ａ及び第２スピーカ２０ｂ、２０ｃの音響出力を制御する制御装置３０とを備え、制御装置３０は、第１スピーカ２０ａ及び第２スピーカ２０ｂ、２０ｃからモスキート音を出力させるように構成される。
【００３９】
上述の構成によれば、聞くと不快感を覚える高周波音であるモスキート音を第１スピーカ２０ａ又は第２スピーカ２０ｂ、２０ｃから出力することができるため、幼児又は愛玩動物の誘導加熱調理器１への接近を回避させることができる。したがって、上述の構成によれば、天板２等の温度が高温である時に、幼児又は愛玩動物の接近を回避させることが可能な誘導加熱調理器１を提供することができる。
【００４０】
また、誘導加熱調理器１においては、第１スピーカ２０ａから出力されるモスキート音の周波数は、第２スピーカ２０ｂ、２０ｃから出力されるモスキート音の周波数と異なるように構成でき、第２スピーカ２０ｂ、２０ｃから出力されるモスキート音の周波数は、第１スピーカ２０ａから出力されるモスキート音の周波数よりも高くできる。具体的には、モスキート音は、第１スピーカ２０ａからは１６５００Ｈｚ以上かつ１７５００Ｈｚ以下の周波数で出力され、第２スピーカ２０ｂ、２０ｃからは１８０００Ｈｚ以上かつ２００００Ｈｚ以下の周波数で出力される構成にできる。
【００４１】
幼児は誘導加熱調理器１の正面側から誘導加熱調理器１に接近することが多い。また、幼児は一般的に可聴周波数が１７０００Ｈｚ前後、例えば、１６５００Ｈｚ以上かつ１７５００Ｈｚ以下程度と言われている。したがって、誘導加熱調理器１の正面側に配置された第１スピーカ２０ａから、幼児の接近に伴い１６５００Ｈｚ以上かつ１７５００Ｈｚ以下のモスキート音を出力させることにより、幼児の誘導加熱調理器１への接近を回避することができる。一方、犬又は猫等の愛玩動物は、誘導加熱調理器１の上面側から誘導加熱調理器１に接近することが多い。また、一般的には犬又は猫等の可聴周波数は人よりも高く、犬又は猫等の接近回避に設定される周波数が１８０００Ｈｚ以上かつ２００００Ｈｚ以下程度と言われている。したがって、上述の構成によれば、天板２の上面に配置した第２スピーカ２０ｂ、２０ｃから、愛玩動物の接近に伴い１８０００Ｈｚ以上かつ２００００Ｈｚ以下のモスキート音を出力させることにより、愛玩動物の誘導加熱調理器１への接近を回避することができる。また、第２スピーカ２０ｂ、２０ｃから出力されるモスキート音の周波数は、第１スピーカ２０ａから出力されるモスキート音の周波数よりも高いため、第１スピーカ２０ａから出力されるモスキート音が聞こえる人でも第２スピーカ２０ｂ、２０ｃから出力されるモスキート音は聴こえにくく、不必要な不快感を与えにくい。
【００４２】
また、誘導加熱調理器１は、本体部３の正面に配置され、生体の接近を検知する第１生体検知センサ１５ａと、天板２の下方に配置され、生体の接近を検知する第２生体検知センサ１５ｂ、１５ｃとを更に備え、制御装置３０は、第１生体検知センサ１５ａで生体の接近を検知した場合に、第１スピーカ２０ａからモスキート音を出力させ、第２生体検知センサ１５ｂ、１５ｃで生体の接近を検知した場合に、第２スピーカ２０ｂ、２０ｃからモスキート音を出力させるように構成できる。
【００４３】
上述の構成によれば、制御装置３０が、本体部３の正面の第１生体検知センサ１５ａから生体が接近したとの情報を受信した場合は、制御装置３０は、モスキート音出力装置５０に、本体部３の正面の第１スピーカ２０ａにモスキート音を出力させるための命令信号を送信できる。また、制御装置３０が、天板２の下方の第２生体検知センサ１５ｂ、１５ｃから生体が接近したとの情報を受信した場合は、制御装置３０は、モスキート音出力装置５０に、天板２の下方の第２スピーカ２０ｂ、２０ｃにモスキート音を出力させるための命令信号を送信できる。したがって、上述の構成によれば、幼児又は愛玩動物の接近方向に、モスキート音を出力するように構成できるため、幼児又は愛玩動物の接近を効率的に回避できる。また、モスキート音が聞こえる使用者に対し、不必要な不快感を与えることを回避することができる。
【００４４】
その他の実施の形態．
上述の実施の形態は、本発明の要旨を逸脱しない範囲において種々の変形が可能である。例えば、上述の実施の形態の誘導加熱調理器１は、ビルトイン型の調理器として構成したが、据置型の調理器として構成してもよい。
【００４５】
また、上述の実施の形態の第１生体検知センサ１５ａ等の生体検知センサ、第１スピーカ２０ａ等のスピーカ、制御装置３０、及びモスキート音出力装置５０は、炊飯器等に用いることができる。例えば、炊飯器の保温時等においては、猫が炊飯器の上に居眠り等のために居座ることがあるが、第１生体検知センサ１５ａ等の生体検知センサ、第１スピーカ２０ａ等のスピーカ、制御装置３０、及びモスキート音出力装置５０は、炊飯器等に用いることにより、猫が炊飯器に接近するのを回避することができる。
【００４６】
また、上述の各実施の形態の記載内容は、互いに組み合わせて実施することが可能である。
【符号の説明】
【００４７】
１  誘導加熱調理器、２  天板、３  本体部、４  加熱口、５  上面操作パネル、６  操作部、７  メニュー表示部、８  排気口、９  前面操作パネル、１０  電源スイッチ、１１  火力操作ダイヤル、１２  計時時間設定ダイヤル、１３  グリル装置、１４  加熱コイル、１５ａ  第１生体検知センサ、１５ｂ、１５ｃ  第２生体検知センサ、２０ａ  第１スピーカ、２０ｂ、２０ｃ  第１スピーカ、２５  音響操作スイッチ、３０  制御装置、３５  温度検知装置、４０  被加熱物、４５  被調理物、５０  モスキート音出力装置。
【図１】
2017157289.tif 000003
【図２】
2017157289.tif 000004
【図３】
2017157289.tif 000005